(57)【要約】      （修正有）【課題】第１の走路と第２の走路の連結状態を強固にすることができる車おもちゃ用走路体を提供する。【解決手段】走路体は、第１の走路と、第２の走路と、第１の支持部材３０を有し、支持部材は、一方側の脚部３１と、他方側の脚部３２と、両脚部を接続する接続部３３とを有し、接続部の頂部には、一対の第１の係止部３３１と、第２の係止部３３２とを有し、第１の係止部は、第１の走路用の係止部３３１Ａと３３１Ｂとを有し、第２の係止部は、第２の走路用の係止部３３２Ａと３３２Ｂとを有し、第１の走路の両側には、外方の一方と他方に張り出し部を有し、この張り出し部に第１の係止部が、それぞれ係止し、第２の走路の両側には、外方の一方と他方に張り出し部を有し、この張り出し部に第２の係止部が、それぞれ係止し、第１の走路の端面と第２の走路の端面とが当接している。【選択図】図２
0003203162.tif 000002
【実用新案登録請求の範囲】
【請求項１】
自動車おもちゃ、電車おもちゃ等の車が走行する走行面と、この走行面の両側に位置する壁とを備えた走路とを備えた車おもちゃ用走路体であって、
前記走路は、第１の連結部を介して分離自在に連結されたもので、少なくとも、第１の走路と第２の走路とを有し、
前記走路は、支持部材により支持され、
前記支持部材は、少なくとも、第１の支持部材を有し、
前記第１の支持部材は、一方側の第１の脚部と、この一方側の第１の脚部に対向する位置に設けられた他方側の第１の脚部と、この他方側の第１の脚部と前記一方側の脚部を接続する第１の接続部とを有し、
この第１の接続部の頂部には、一対の第１の支持部材用第１の凸部と、一対の第１の支持部材用第２の凸部とを有し、
前記一対の第１の支持部材用第１の凸部は、第１の支持部材用第１’の凸部と第１の支持部材用第１”の凸部とを有し、
前記一対の第１の支持部材用第２の凸部は、第１の支持部材用第２’の凸部と第１の支持部材用第２”の凸部とを有し、
前記第１の走路の両側には、外方の一方に張り出す第１の走路用一方張り出し部と、外方の他方に張り出す第１の走路用他方張り出し部とを有し、
前記第２の走路の両側には、外方の一方に張り出す第２の走路用一方張り出し部と、外方の他方に張り出す第２の走路用他方張り出し部とを有し、
前記第１の連結部は、
前記第１の走路用一方張り出し部に設けた第１の走路用第１’の嵌合穴に前記第１の支持部材用第１’の凸部が、
前記第１の走路用他方張り出し部に設けた第１の走路用第１”の嵌合穴に前記第１の支持部材用第１”の凸部が、
前記第２の走路用一方張り出し部に設けた第２の走路用第２’の嵌合穴に前記第１の支持部材用第２’の凸部が、
前記第２の走路用他方張り出し部に設けた第２の走路用第２”の嵌合穴に前記第１の支持部材用第２”の凸部が、それぞれ嵌合すると共に、前記第１の走路の端面と前記第２の走路の端面とが当接しているものである
ことを特徴とする車おもちゃ用走路体。
【請求項２】
支持部材は、第１の支持部材と、この第１の支持部材の上に接続される第２の支持部材とを有し、
前記第２の支持部材は、一方側の第２の脚部と、この一方側の第２の脚部に対向する位置に設けられた他方側の第２の脚部と、この他方側の第２の脚部と前記一方側の第２の脚部を接続する第２の接続部とを有し、
第１の支持部材用第１’の凸部の中心に第１の支持部材用第１’の凹所が、第１の支持部材用第１”の凸部の中心に第１の支持部材用第１”の凹所が、第１の支持部材用第２’の凸部の中心に第１の支持部材用第２’の凹所が、第１の支持部材用第２”の凸部の中心に第１の支持部材用第２”の凹所が、それぞれ設けられ、
前記第１の支持部材用第１’の凹所に対向する位置であって、前記一方側の第２の脚部に第２の支持部材用第１’の突出部が設けられ、
前記第１の支持部材用第２’の凹所に対向する位置であって、前記一方側の第２の脚部に第２の支持部材用第２’の突出部が設けられ、
前記第１の支持部材用第１”の凹所に対向する位置であって、前記他方側の第２の脚部に第２の支持部材用第１”の突出部が設けられ、
前記第１の支持部材用第２”の凹所に対向する位置であって、前記他方側の第２の脚部に第２の支持部材用第２”の突出部が設けられ、
前記第１の支持部材用第１’の凹所に前記第２の支持部材用第１’の突出部が、前記第１の支持部材用第２’の凹所に前記第２の支持部材用第２’の突出部が、前記第１の支持部材用第１”の凹所に前記第２の支持部材用第１”の突出部が、前記第１の支持部材用第２”の凹所に前記第２の支持部材用第２”の突出部が、それぞれ嵌合して、前記第１の支持部材と前記第２の支持部材とが接続されている
ことを特徴とする請求項１記載の車おもちゃ用走路体。
【請求項３】
支持部材は、第１の支持部材と、この第１の支持部材の上に接続される第２の支持部材とを有し、
前記第２の支持部材は、一方側の第２の脚部と、この一方側の第２の脚部に対向する位置に設けられた他方側の第２の脚部と、この他方側の第２の脚部と前記一方側の第２の脚部を接続する第２の接続部とを有し、
前記一方側の第２の脚部は、平面断面視、コ字状の一方側の第２’のカバー部を有し、
前記他方側の第２の脚部は、平面断面視、コ字状の他方側の第２”のカバー部を有し、
前記第１の支持部材の第１の接続部の頂部に設けられた第１のベースの上に第１の支持部材用第１’の凸部と第１の支持部材用第２’の凸部が設けられ、
前記第１の支持部材の第１の接続部の頂部に設けられた第２のベースの上に第１の支持部材用第１”の凸部と第１の支持部材用第２”の凸部が設けられ、
前記コ字状の一方側の第２’のカバー部の内周面が前記第１のベースの外周面に、前記コ字状の他方側の第２”のカバー部の内周面が前記第２のベースの外周面に、それぞれ嵌合して、前記第１の支持部材と前記第２の支持部材が接続されている
ことを特徴とする請求項１又は請求項２記載の車おもちゃ用走路体。    
【請求項４】
第１の走路の端部より突出するように設けられた第１の連結用凸部と、この第１の連結用凸部に係止されると共に、第２の走路の端部より凹むように設けられた第１の連結用凹部である
ことを特徴とする請求項１記載の車おもちゃ用走路体。
【請求項５】
走路は、第２の連結部を介して分離自在に連結されたもので、少なくとも、第３の走路と第４の走路とを有し、
前記走路は、支持部材により支持され、
前記支持部材は、少なくとも、第１の支持部材と第２の支持部材を有し、
前記第２の支持部材は、一方側の第２の脚部と、この一方側の第２の脚部に対向する位置に設けられた他方側の第２の脚部と、この他方側の第２の脚部と前記一方側の第２の脚部を接続する第２の接続部とを有し、
この第２の接続部の頂部には、一対の第２の支持部材用第１の凸部と、一対の第２の支持部材用第２の凸部とを有し、
前記一対の第２の支持部材用第１の凸部は、第２の支持部材用第１’の凸部と第２の支持部材用第１”の凸部とを有し、
前記一対の第２の支持部材用第２の凸部は、第２の支持部材用第２’の凸部と第２の支持部材用第２”の凸部とを有し、
前記第３の走路の両側には、外方の一方に張り出す第３の走路用一方張り出し部と、外方の他方に張り出す第３の走路用他方張り出し部とを有し、
前記第４の走路の両側には、外方の一方に張り出す第４の走路用一方張り出し部と、外方の他方に張り出す第４の走路用他方張り出し部とを有し、
前記第２の連結部は、
前記第３の走路用一方張り出し部に設けた第３の走路用第１’の嵌合穴に前記第２の支持部材用第１’の凸部が、
前記第３の走路用他方張り出し部に設けた第３の走路用第１”の嵌合穴に前記第２の支持部材用第１”の凸部が、
前記第４の走路用一方張り出し部に設けた第４の走路用第２’の嵌合穴に前記第２の支持部材用第２’の凸部が、
前記第４の走路用他方張り出し部に設けた第４の走路用第２”の嵌合穴に前記第２の支持部材用第２”の凸部が、それぞれ嵌合すると共に、前記第３の走路の端面と前記第４の走路の端面とが当接しているものである
ことを特徴とする請求項１又は請求項２又は請求項３記載の車おもちゃ用走路体。  
【請求項６】
第３の走路の端部より突出するように設けられた第２の連結用凸部と、この第２の連結用凸部に係止されると共に、第４の走路の端部より凹むように設けられた第２の連結用凹部である
ことを特徴とする請求項５記載の車おもちゃ用走路体。
また、請求項６記載の車おもちゃ用走路体によれば、上述した請求項５記載の考案の効果に加え、走路体の外側は、第３の走路用一方張り出し部に設けた第３の走路用第１’の嵌合穴に第２の支持部材用第１’の凸部が、第３の走路用他方張り出し部に設けた第３の走路用第１”の嵌合穴に第２の支持部材用第１”の凸部が、第４の走路用一方張り出し部に設けた第４の走路用第２’の嵌合穴に第２の支持部材用第２’の凸部が、第４の走路用他方張り出し部に設けた第４の走路用第２”の嵌合穴に第２の支持部材用第２”の凸部が、それぞれ嵌合することにより、また、走路体の内側は、第３の走路の端部より突出するように設けられた第２の連結用凸部と、この第２の連結用凸部に係止されると共に、第４の走路の端部より凹むように設けられた第２の連結用凹部により、第３の走路と第４の走路とを強固に連結することができる。
ことを特徴とする請求項５記載の車おもちゃ用走路体。    
【考案の詳細な説明】
【技術分野】
【０００１】
本考案は、車おもちゃ用走路体に係り、特に、第１の走路と第２の走路の連結状態を強固にすることができる車おもちゃ用走路体に関する。    
【背景技術】
【０００２】
従来、例えば、第１の走路と第２の走路を連結し、連結した第１の走路と第２の走路とを支持部材によって支持した特許文献１記載のものがある。
【先行技術文献】
【特許文献】
【０００３】
【特許文献１】実用新案登録第３１５１３６８号公報（図４参照）
【考案の概要】
【考案が解決しようとする課題】
【０００４】
しかしながら、上述のものは、連結した第１の走路と第２の走路とを支持部材に単に当接して支持するだけで、たとえば、第１の走路と第２の走路の接合面が支持部材から離間した場合、第１の走路と第２の走路が容易に分離するという問題点があった。
【０００５】
本考案は、上記の問題点を除去するようにした車おもちゃ用走路体を提供することを目的とする。
【課題を解決するための手段】
【０００６】
請求項１記載の車おもちゃ用走路体は、自動車おもちゃ、電車おもちゃ等の車が走行する走行面と、この走行面の両側に位置する壁とを備えた走路とを備えた車おもちゃ用走路体であって、前記走路は、第１の連結部を介して分離自在に連結されたもので、少なくとも、第１の走路と第２の走路とを有し、前記走路は、支持部材により支持され、前記支持部材は、少なくとも、第１の支持部材を有し、前記第１の支持部材は、一方側の第１の脚部と、この一方側の第１の脚部に対向する位置に設けられた他方側の第１の脚部と、この他方側の第１の脚部と前記一方側の脚部を接続する第１の接続部とを有し、この第１の接続部の頂部には、一対の第１の支持部材用第１の凸部と、一対の第１の支持部材用第２の凸部とを有し、前記一対の第１の支持部材用第１の凸部は、第１の支持部材用第１’の凸部と第１の支持部材用第１”の凸部とを有し、前記一対の第１の支持部材用第２の凸部は、第１の支持部材用第２’の凸部と第１の支持部材用第２”の凸部とを有し、前記第１の走路の両側には、外方の一方に張り出す第１の走路用一方張り出し部と、外方の他方に張り出す第１の走路用他方張り出し部とを有し、前記第２の走路の両側には、外方の一方に張り出す第２の走路用一方張り出し部と、外方の他方に張り出す第２の走路用他方張り出し部とを有し、前記第１の連結部は、前記第１の走路用一方張り出し部に設けた第１の走路用第１’の嵌合穴に前記第１の支持部材用第１’の凸部が、前記第１の走路用他方張り出し部に設けた第１の走路用第１”の嵌合穴に前記第１の支持部材用第１”の凸部が、前記第２の走路用一方張り出し部に設けた第２の走路用第２’の嵌合穴に前記第１の支持部材用第２’の凸部が、前記第２の走路用他方張り出し部に設けた第２の走路用第２”の嵌合穴に前記第１の支持部材用第２”の凸部が、それぞれ嵌合すると共に、前記第１の走路の端面と前記第２の走路の端面とが当接しているものである。
【０００７】
また、請求項２記載の車おもちゃ用走路体は、請求項１記載の車おもちゃ用走路体において、支持部材は、第１の支持部材と、この第１の支持部材の上に接続される第２の支持部材とを有し、前記第２の支持部材は、一方側の第２の脚部と、この一方側の第２の脚部に対向する位置に設けられた他方側の第２の脚部と、この他方側の第２の脚部と前記一方側の第２の脚部を接続する第２の接続部とを有し、第１の支持部材用第１’の凸部の中心に第１の支持部材用第１’の凹所が、第１の支持部材用第１”の凸部の中心に第１の支持部材用第１”の凹所が、第１の支持部材用第２’の凸部の中心に第１の支持部材用第２’の凹所が、第１の支持部材用第２”の凸部の中心に第１の支持部材用第２”の凹所が、それぞれ設けられ、前記第１の支持部材用第１’の凹所に対向する位置であって、前記一方側の第２の脚部に第２の支持部材用第１’の突出部が設けられ、前記第１の支持部材用第２’の凹所に対向する位置であって、前記一方側の第２の脚部に第２の支持部材用第２’の突出部が設けられ、前記第１の支持部材用第１”の凹所に対向する位置であって、前記他方側の第２の脚部に第２の支持部材用第１”の突出部が設けられ、前記第１の支持部材用第２”の凹所に対向する位置であって、前記他方側の第２の脚部に第２の支持部材用第２”の突出部が設けられ、前記第１の支持部材用第１’の凹所に前記第２の支持部材用第１’の突出部が、前記第１の支持部材用第２’の凹所に前記第２の支持部材用第２’の突出部が、前記第１の支持部材用第１”の凹所に前記第２の支持部材用第１”の突出部が、前記第１の支持部材用第２”の凹所に前記第２の支持部材用第２”の突出部が、それぞれ嵌合して、前記第１の支持部材と前記第２の支持部材とが接続されているものである。  
【０００８】
また、請求項３記載の車おもちゃ用走路体は、請求項１又は請求項２記載の車おもちゃ用走路体において、支持部材は、第１の支持部材と、この第１の支持部材の上に接続される第２の支持部材とを有し、前記第２の支持部材は、一方側の第２の脚部と、この一方側の第２の脚部に対向する位置に設けられた他方側の第２の脚部と、この他方側の第２の脚部と前記一方側の第２の脚部を接続する第２の接続部とを有し、前記一方側の第２の脚部は、平面断面視、コ字状の一方側の第２’のカバー部を有し、前記他方側の第２の脚部は、平面断面視、コ字状の他方側の第２”のカバー部を有し、前記第１の支持部材の第１の接続部の頂部に設けられた第１のベースの上に第１の支持部材用第１’の凸部と第１の支持部材用第２’の凸部が設けられ、前記第１の支持部材の第１の接続部の頂部に設けられた第２のベースの上に第１の支持部材用第１”の凸部と第１の支持部材用第２”の凸部が設けられ、前記コ字状の一方側の第２’のカバー部の内周面が前記第１のベースの外周面に、前記コ字状の他方側の第２”のカバー部の内周面が前記第２のベースの外周面に、それぞれ嵌合して、前記第１の支持部材と前記第２の支持部材が接続されているものである。
【０００９】
また、請求項４記載の車おもちゃ用走路体は、請求項１記載の車おもちゃ用走路体において、第１の走路の端部より突出するように設けられた第１の連結用凸部と、この第１の連結用凸部に係止されると共に、第２の走路の端部より凹むように設けられた第１の連結用凹部である。
【００１０】
また、請求項５記載の車おもちゃ用走路体は、請求項１又は請求項２又は請求項３記載の車おもちゃ用走路体において、走路は、第２の連結部を介して分離自在に連結されたもので、少なくとも、第３の走路と第４の走路とを有し、前記走路は、支持部材により支持され、前記支持部材は、少なくとも、第１の支持部材と第２の支持部材を有し、前記第２の支持部材は、一方側の第２の脚部と、この一方側の第２の脚部に対向する位置に設けられた他方側の第２の脚部と、この他方側の第２の脚部と前記一方側の第２の脚部を接続する第２の接続部とを有し、この第２の接続部の頂部には、一対の第２の支持部材用第１の凸部と、一対の第２の支持部材用第２の凸部とを有し、前記一対の第２の支持部材用第１の凸部は、第２の支持部材用第１’の凸部と第２の支持部材用第１”の凸部とを有し、前記一対の第２の支持部材用第２の凸部は、第２の支持部材用第２’の凸部と第２の支持部材用第２”の凸部とを有し、前記第３の走路の両側には、外方の一方に張り出す第３の走路用一方張り出し部と、外方の他方に張り出す第３の走路用他方張り出し部とを有し、前記第４の走路の両側には、外方の一方に張り出す第４の走路用一方張り出し部と、外方の他方に張り出す第４の走路用他方張り出し部とを有し、前記第２の連結部は、前記第３の走路用一方張り出し部に設けた第３の走路用第１’の嵌合穴に前記第２の支持部材用第１’の凸部が、前記第３の走路用他方張り出し部に設けた第３の走路用第１”の嵌合穴に前記第２の支持部材用第１”の凸部が、前記第４の走路用一方張り出し部に設けた第４の走路用第２’の嵌合穴に前記第２の支持部材用第２’の凸部が、前記第４の走路用他方張り出し部に設けた第４の走路用第２”の嵌合穴に前記第２の支持部材用第２”の凸部が、それぞれ嵌合すると共に、前記第３の走路の端面と前記第４の走路の端面とが当接しているものである。
【００１１】
また、請求項６記載の車おもちゃ用走路体は、請求項５記載の車おもちゃ用走路体において、第３の走路の端部より突出するように設けられた第２の連結用凸部と、この第２の連結用凸部に係止されると共に、第４の走路の端部より凹むように設けられた第２の連結用凹部である。
【考案の効果】
【００１２】
請求項１記載の車おもちゃ用走路体によれば、第１の走路と第２の走路は、第１の支持部材により支持されると共に、第１の連結部は、第１の走路用一方張り出し部に設けた第１の走路用第１’の嵌合穴に第１の支持部材用第１’の凸部が、第１の走路用他方張り出し部に設けた第１の走路用第１”の嵌合穴に第１の支持部材用第１”の凸部が、第２の走路用一方張り出し部に設けた第２の走路用第２’の嵌合穴に第１の支持部材用第２’の凸部が、第２の走路用他方張り出し部に設けた第２の走路用第２”の嵌合穴に第１の支持部材用第２”の凸部が、それぞれ嵌合すると共に、第１の走路の端面と第２の走路の端面とが当接しているため、第１の支持部材によって第１の走路と第２の走路の支持と第１の走路と第２の走路の連結を行うようにして、第１の走路と第２の走路の連結状態を強固にすることができる。
【００１３】
また、請求項２記載の車おもちゃ用走路体によれば、上述した請求項１記載の考案の効果に加え、第１の支持部材用第１’の凹所に第２の支持部材用第１’の突出部が、第１の支持部材用第２’の凹所に第２の支持部材用第２’の突出部が、第１の支持部材用第１”の凹所に第２の支持部材用第１”の突出部が、第１の支持部材用第２”の凹所に第２の支持部材用第２”の突出部が、それぞれ嵌合して、つまり、第１の走路と第２の走路の連結する部位を第１の支持部材と第２の支持部材とで挟持して、第１の走路と第２の走路の連結状態を強固にすることができる。
【００１４】
また、請求項３記載の車おもちゃ用走路体によれば、上述した請求項１又は請求項２記載の考案の効果に加え、コ字状の一方側の第２’のカバー部の内周面が第１のベースの外周面に、コ字状の他方側の第２”のカバー部の内周面が第２のベースの外周面に、それぞれ嵌合して、つまり、第１の走路と第２の走路の連結する部位を第１の支持部材と第２の支持部材とで挟持して、第１の走路と第２の走路の連結状態を強固にすることができる。
【００１５】
また、請求項４記載の車おもちゃ用走路体によれば、上述した請求項１記載の考案の効果に加え、走路体の外側は、第１の走路用一方張り出し部に設けた第１の走路用第１’の嵌合穴に第１の支持部材用第１’の凸部が、第１の走路用他方張り出し部に設けた第１の走路用第１”の嵌合穴に第１の支持部材用第１”の凸部が、第２の走路用一方張り出し部に設けた第２の走路用第２’の嵌合穴に第１の支持部材用第２’の凸部が、第２の走路用他方張り出し部に設けた第２の走路用第２”の嵌合穴に第１の支持部材用第２”の凸部が、それぞれ嵌合することにより、また、走路体の内側は、第１の走路の端部より突出するように設けられた第１の連結用凸部と、この第１の連結用凸部に係止されると共に、第２の走路の端部より凹むように設けられた第１の連結用凹部により、第１の走路と第２の走路とを強固に連結することができる。
【００１６】
また、請求項５記載の車おもちゃ用走路体によれば、上述した請求項１又は請求項２又は請求項３記載の考案の効果に加え、第３の走路と第４の走路は、第２の支持部材により支持されると共に、第２の連結部は、第３の走路用一方張り出し部に設けた第３の走路用第１’の嵌合穴に第２の支持部材用第１’の凸部が、第３の走路用他方張り出し部に設けた第３の走路用第１”の嵌合穴に第２の支持部材用第１”の凸部が、第３の走路用一方張り出し部に設けた第３の走路用第２’の嵌合穴に第２の支持部材用第２’の凸部が、第４の走路用他方張り出し部に設けた第４の走路用第２”の嵌合穴に第２の支持部材用第２”の凸部が、それぞれ嵌合すると共に、第３の走路の端面と第４の走路の端面とが当接しているため、第２の支持部材によって第３の走路と第４の走路の支持と第３の走路と第４の走路の連結を行うようにして、第３の走路と第４の走路の連結状態を強固にすることができる。
【００１７】
また、請求項６記載の車おもちゃ用走路体によれば、上述した請求項５記載の考案の効果に加え、走路体の外側は、第３の走路用一方張り出し部に設けた第３の走路用第１’の嵌合穴に第２の支持部材用第１’の凸部が、第３の走路用他方張り出し部に設けた第３の走路用第１”の嵌合穴に第２の支持部材用第１”の凸部が、第４の走路用一方張り出し部に設けた第４の走路用第２’の嵌合穴に第２の支持部材用第２’の凸部が、第４の走路用他方張り出し部に設けた第４の走路用第２”の嵌合穴に第４の支持部材用第２”の凸部が、それぞれ嵌合することにより、また、走路体の内側は、第３の走路の端部より突出するように設けられた第２の連結用凸部と、この第２の連結用凸部に係止されると共に、第４の走路の端部より凹むように設けられた第２の連結用凹部により、第３の走路と第４の走路とを強固に連結することができる。
【図面の簡単な説明】
【００１８】
【図１】図１は、本考案の一実施例の車おもちゃ用走路体の概略的斜視図である。
【図２】図２は、図１の支持部材（第１の支持部材）の概略的斜視図である。
【図３】図３は、図１の３−３線による断面を分解して示す概略的分解断面図である。
【図４】図４は、図１の３−３線付近の第１の走路と第２の走路を分離し、斜め方向から見た概略的斜視図である。
【図５】図５は、図１の第１の走路と第２の走路との連結状態を示す概略的横断断面図である。
【図６】図６は、図１の第１の支持部材の上に第２の支持部材が連結した状態を示す概略的正面図である。。
【図７】図７は、図６の７−７線による概略的断面図である。
【図８】図８は、図６の断面を分解して示す概略的分解断面図である。
【図９】図９は、図６の第１の支持部材と第２の支持部材を分解して示す概略的分解斜視図である。
【図１０】図１０は、図９の第２の支持部材用第１’の突出部（第２の支持部材用第２’の突出部、第２の支持部材用第１”の突出部、第２の支持部材用第２”の突出部４２２”）の概略的斜視図である。
【図１１】図１１は、図８の第２の支持部材に第３の走路と第４の走路が支持される状態を示す概略的分解断面図である。
【考案を実施するための形態】
【００１９】
本考案の一実施例の車おもちゃ用走路体を図面を参照して説明する。
［図１乃至図５］
図１に示すＳは車おもちゃ用走路体で、車おもちゃ用走路体Ｓは、自動車おもちゃ等の車が走行する走行面Ｒと、この走行面Ｒの両側に位置する壁Ｗとを備えた走路とを備えたもので、車おもちゃ用走路体Ｓは、例えば、自動車おもちゃ１を落差を利用して、高所から低所へ移動させることができるものである。
【００２０】
上記走路は、第１の連結部を介して分離自在に連結されたもので、少なくとも、第１の走路１０と第２の走路２０とを有している。
また、上記走路は、支持部材により支持される。この支持部材は、少なくとも、第１の支持部材３０を有している。
第１の支持部材３０は、図２に示すように、一方側の第１の脚部３１と、この一方側の第１の脚部３１に対向する位置に設けられた他方側の第１の脚部３２と、この他方側の第１の脚部３２と一方側の第１の脚部３１を接続する第１の接続部３３とを有している。
本実施例の第１の支持部材３０の一方側の第１の脚部３１は、例えば、一方側の第１の脚部体３１Ａと一方側の第１の脚部下部片３１Ｂを接続して構成し、また、他方側の第１の脚部３２は、一方側の第１の脚部３１と同様に、例えば、他方側の第１の脚部体３２Ａと他方側の第１の脚部下部片３２Ｂを接続して構成している。
【００２１】
また、第１の接続部３３の頂部には、図２に示すように、一対の第１の支持部材用第１の凸部３３１と、一対の第１の支持部材用第２の凸部３３２とを有し、この一対の第１の支持部材用第１の凸部３３１は、第１の支持部材用第１’の凸部３３１Ａと第１の支持部材用第１”の凸部３３１Ｂとを有し、また、一対の第１の支持部材用第２の凸部３３２は、第１の支持部材用第２’の凸部３３２Ａと第１の支持部材用第２”の凸部３３２Ｂとを有している。
【００２２】
図４に示す第１の走路１０の両側には、例えば、外方の一方に張り出す第１の走路用一方張り出し部１０Ａと、外方の他方に張り出す第１の走路用他方張り出し部１０Ｂとを有し、また、第２の走路２０の両側には、第１の走路１０の両側と同様に、外方の一方に張り出す第２の走路用一方張り出し部２０Ａと、外方の他方に張り出す第２の走路用他方張り出し部２０Ｂとを有している。
そして、第１の走路用一方張り出し部１０Ａに設けた第１の走路用第１’の嵌合穴１０Ａ１’に第１の支持部材用第１’の凸部３３１Ａが、第１の走路用他方張り出し部１０Ｂに設けた第１の走路用第１”の嵌合穴１０Ｂ１”に第１の支持部材用第１”の凸部３３１Ｂが、第２の走路用一方張り出し部２０Ａに設けた第２の走路用第２’の嵌合穴２０Ａ２’に第１の支持部材用第２’の凸部３３２Ａが、第２の走路用他方張り出し部２０Ｂに設けた第２の走路用第２”の嵌合穴２０Ｂ２”に第１の支持部材用第２”の凸部３３２Ｂが、それぞれそれぞれ嵌合すると共に、第１の走路１０の端面Ｘ（図４参照）と第２の走路２０の端面Ｙ（図４参照）とが当接して、第１の連結部は、構成されている。
【００２３】
従って、上述した車おもちゃ用走路体Ｓによれば、第１の走路１０と第２の走路２０は、第１の支持部材３０により支持されると共に、第１の連結部は、第１の走路用一方張り出し部１０Ａに設けた第１の走路用第１’の嵌合穴１０Ａ１’に第１の支持部材用第１’の凸部３３１Ａが、第１の走路用他方張り出し部１０Ｂに設けた第１の走路用第１”の嵌合穴１０Ｂ１”に第１の支持部材用第１”の凸部３３１Ｂが、第２の走路用一方張り出し部２０Ａに設けた第２の走路用第２’の嵌合穴２０Ａ２’に第１の支持部材用第２’の凸部３３２Ａが、第２の走路用他方張り出し部２０Ｂに設けた第２の走路用第２”の嵌合穴２０Ｂ２”に第１の支持部材用第２”の凸部３３２Ｂが、それぞれ嵌合すると共に、第１の走路１０の端面Ｘと第２の走路２０の端面Ｙとが当接しているため、第１の支持部材３０によって第１の走路１０と第２の走路２０の支持と第１の走路１０と第２の走路２０の連結を行うようにして、第１の走路１０と第２の走路２０の連結状態を強固にすることができる。
【００２４】
［図６乃至図１０］
次に述べる実施例の支持部材は、第１の支持部材３０と、この第１の支持部材３０の上に接続される第２の支持部材４０とを有しているものについて、以下、説明する。
第２の支持部材４０は、第１の支持部材３０と同様、一方側の第２の脚部４１と、この一方側の第２の脚部４１に対向する位置に設けられた他方側の第２の脚部４２と、この他方側の第２の脚部４２と一方側の第２の脚部４１を接続する第２の接続部４３とを有している。
【００２５】
また、第１の支持部材用第１’の凸部３３１Ａの中心に第１の支持部材用第１’の凹所３３１Ａ１が、第１の支持部材用第１”の凸部３３１Ｂの中心に第１の支持部材用第１”の凹所３３１Ｂ１が、第１の支持部材用第２’の凸部３３２Ａの中心に第１の支持部材用第２’の凹所３３２Ａ１が、第１の支持部材用第２”の凸部３３２Ｂの中心に第１の支持部材用第２”の凹所３３２Ｂ１が、それぞれ設けられている。
そして、図８に示すように、第１の支持部材用第１’の凹所３３１Ａ１に対向する位置であって、一方側の第２の脚部４１に第２の支持部材用第１’の突出部４１１’が、第１の支持部材用第２’の凹所３３２Ａ１に対向する位置であって、一方側の第２の脚部４１に第２の支持部材用第２’の突出部４１２’が、第１の支持部材用第１”の凹所３３１Ｂ１に対向する位置であって、他方側の第２の脚部４２に第２の支持部材用第１”の突出部４２１”が、第１の支持部材用第２”の凹所３３２Ｂ１に対向する位置であって、他方側の第２の脚部４２に第２の支持部材用第２”の突出部４２２”が、それぞれ設けられている。
【００２６】
そして、第１の支持部材用第１’の凹所３３１Ａ１に第２の支持部材用第１’の突出部４１１’が、第１の支持部材用第２’の凹所３３２Ａ１に第２の支持部材用第２’の突出部４１２’が、第１の支持部材用第１”の凹所３３１Ｂ１に第２の支持部材用第１”の突出部４２１”が、第１の支持部材用第２”の凹所３３２Ｂ１に第２の支持部材用第２”の突出部４２２”が、それぞれ嵌合して、第１の支持部材３０と第２の支持部材４０とが接続されている。
このように、第１の支持部材用第１’の凹所３３１Ａ１に第２の支持部材用第１’の突出部４１１’が、第１の支持部材用第２’の凹所３３２Ａ１に第２の支持部材用第２’の突出部４１２’が、第１の支持部材用第１”の凹所３３１Ｂ１に第２の支持部材用第１”の突出部４２１”が、第１の支持部材用第２”の凹所３３２Ｂ１に第２の支持部材用第２”の突出部４２２”が、それぞれ嵌合して、つまり、第１の走路１０と第２の走路２０の連結する部位を第１の支持部材３０と第２の支持部材４０とで挟持して、第１の走路１０と第２の走路２０の連結状態を強固にすることができる。
【００２７】
第２の支持部材４０は、第１の支持部材３０と同様に、図９に示すように、一方側の第２の脚部４１と、この一方側の第２の脚部４１に対向する位置に設けられた他方側の第２の脚部４２と、この他方側の第２の脚部４２と一方側の第２の脚部４１を接続する第２の接続部４３とを有している。
そして、第２の支持部材４０の一方側の第２の脚部４１は、例えば、一方側の第２の脚部体４１Ａと一方側の第２の脚部下部片４１Ｂを接続して構成し、また、他方側の第２の脚部４２は、一方側の第１の脚部４１と同様に、例えば、他方側の第２の脚部体４２Ａと他方側の第２の脚部下部片４２Ｂを接続して構成している。
第２の支持部材４０の一方側の第２の脚部下部片４１Ｂは、例えば、下方部に平面断面視、コ字状の一方側の第２’のカバー部４１Ｂ１を有し、また、他方側の第２の脚部下部片４２Ｂは、一方側の第２’のカバー部４１Ｂ１と同様に、例えば、下方部に平面断面視、コ字状の他方側の第２”のカバー部４２Ｂ１を有している。
【００２８】
また、第２の接続部４３の頂部には、図９に示すように、一対の第２の支持部材用第１の凸部４３１と、一対の第２の支持部材用第２の凸部４３２とを有し、この一対の第２の支持部材用第１の凸部４３１は、第２の支持部材用第１’の凸部４３１Ａと第２の支持部材用第１”の凸部４３１Ｂとを有し、また、一対の第２の支持部材用第２の凸部４３２は、第２の支持部材用第２’の凸部４３２Ａと第２の支持部材用第２”の凸部４３２Ｂとを有している。
また、第１の支持部材用第１’の凸部３３１Ａと第１の支持部材用第２’の凸部３３２Ａは、第１の支持部材３０の第１の接続部３３の頂部に設けられた第１のベース３３Ｘの上にある。また、第１の支持部材用第１”の凸部３３１Ｂと第１の支持部材用第２”の凸部３３２Ｂは、第１の支持部材３０の第１の接続部３３の頂部に設けられた第２のベース３３Ｙの上にある。
そして、図７に示すように、コ字状の一方側の第２’のカバー部４１Ｂ１の内周面が第１のベース３３Ｘの外周面に、コ字状の他方側の第２”のカバー部４２Ｂ１の内周面が第２のベース３３Ｙの外周面に、それぞれ嵌合して、第１の支持部材３０と第２の支持部材４０が接続されている（図６参照）。
【００２９】
このように、コ字状の一方側の第２’のカバー部４１Ｂ１Ａの内周面が第１のベース３３Ｘの外周面に、コ字状の他方側の第２”のカバー部４２Ｂ１の内周面が第２のベース３３Ｙの外周面に、それぞれ嵌合して、つまり、第１の走路１０と第２の走路２０の連結する部位を第１の支持部材３０と第２の支持部材４０とで挟持して、第１の走路１０と第２の走路２０の連結状態を強固にすることができる。
【００３０】
また、第１の連結部は、上記に加え、図４及び図５に示すように、第１の走路１０の端部より突出するように設けられた第１の連結用凸部１０１、第２の走路２０の端部より凹むように設けられた第１の連結用凹部１０２と、この第１の連結用凸部１０１に係止されると共に、第２の走路２０の端部より凹むように設けられ、第１の連結用凸部１０１に係止される第１’の連結用凹部２０１、第２の走路２０の端部より突出するように設けられ、第１の連結用凹部１０２に係止する第１’の連結用凸部２０２を含むものである。
このように、走路体の内側は、第１の走路１０の端部より突出するように設けられた第１の連結用凸部１０１と、この第１の連結用凸部１０１に係止されると共に、第２の走路２０の端部より凹むように設けられた第１’の連結用凹部２０１により、第１の走路１０と第２の走路２０とを強固に連結することができる。
【００３１】
［図４、図９及び図１１］
上述した実施例においては、第１の連結部を介して第１の走路１０と第２の走路２０とを接続したが、次に、述べる実施例は、第２の連結部を介して第３の走路７０と第４の走路８０とを接続した第２の連結部について、以下、説明する。
第２の接続部４３の頂部には、一対の第２の支持部材用第１の凸部４３１と、一対の第２の支持部材用第２の凸部４３２とを有し、この一対の第２の支持部材用第１の凸部４３１は、第２の支持部材用第１’の凸部４３１Ａと第２の支持部材用第１”の凸部４３１Ｂとを有し、また、一対の第２の支持部材用第２の凸部４３２は、第２の支持部材用第２’の凸部４３２Ａと第２の支持部材用第２”の凸部４３２Ｂとを有している（図９参照）。
また、図１１に示す第３の走路７０の両側には、第１の走路１０の両側と同様に、外方の一方に張り出す第３の走路用一方張り出し部７０Ａと、外方の他方に張り出す第３の走路用他方張り出し部７０Ｂとを有している。
また、第４の走路８０の両側には、第２の走路２０の両側と同様に、外方の一方に張り出す第４の走路用一方張り出し部８０Ａと、外方の他方に張り出す第４の走路用他方張り出し部８０Ｂとを有している。
【００３２】
そして、第３の走路用一方張り出し部７０Ａに設けた第３の走路用第１’の嵌合穴７０Ａ１’に第２の支持部材用第１’の凸部４３１Ａが、第３の走路用他方張り出し部７０Ｂに設けた第３の走路用第１”の嵌合穴７０Ｂ１”に第２の支持部材用第１”の凸部４３１Ｂが、第４の走路用一方張り出し部８０Ａに設けた第４の走路用第２’の嵌合穴８０Ａ２’に第２の支持部材用第２’の凸部４３２Ａが、第４の走路用他方張り出し部８０Ｂに設けた第４の走路用第２”の嵌合穴８０Ｂ２”に第２の支持部材用第２”の凸部４３２Ｂが、それぞれそれぞれ嵌合すると共に、第３の走路７０の端面Ｘ’（図４の括弧内の符号参照）と第４の走路８０の端面Ｙ’（図４の括弧内の符号参照）とが当接して、第２の連結部は、構成されている。
このように、第３の走路７０と第４の走路８０は、第２の支持部材４０により支持されると共に、第２の連結部は、第３の走路用一方張り出し部７０Ａに設けた第３の走路用第１’の嵌合穴７０Ａ１’に第２の支持部材用第１’の凸部４３１Ａが、第３の走路用他方張り出し部７０Ｂに設けた第３の走路用第１”の嵌合穴７０Ｂ１”に第２の支持部材用第１”の凸部４３１Ｂが、第４の走路用一方張り出し部８０Ａに設けた第４の走路用第２”の嵌合穴８０Ｂ２”に第２の支持部材用第２’の凸部４３２Ａが、第４の走路用他方張り出し部８０Ｂに設けた第４の走路用第２”の嵌合穴８０Ｂ２”に第２の支持部材用第２”の凸部４３２Ｂが、それぞれ嵌合すると共に、第３の走路７０の端面Ｘ’（図４の括弧内の符号参照）と第４の走路８０の端面Ｙ’（図４の括弧内の符号参照）とが当接しているため、第２の支持部材４０によって第３の走路７０と第４の走路８０の支持と第３の走路７０と第４の走路８０の連結を行うようにして、第３の走路７０と第４の走路８０の連結状態を強固にすることができる。
【００３３】
また、第２の連結部は、上記に加え、第３の走路７０の端部より突出するように設けられた第２の連結用凸部７０１、第３の走路７０の端部Ｘ’（図４の括弧内の符号参照）より凹むように設けられた第２の連結用凹部７０２と、この第２の連結用凸部７０１に係止されると共に、第４の走路８０の端部Ｙ’（図４の括弧内の符号参照）より凹むように設けられ、第２の連結用凸部７０１に係止される第２’の連結用凹部８０１、第４の走路８０の端部より突出するように設けられ、第２の連結用凹部７０２に係止する第２’の連結用凸部８０２を含むものである。
このように、走路体の内側は、第３の走路７０の端部Ｘ’より突出するように設けられた第２の連結用凸部７０１と、この第２の連結用凸部７０１に係止されると共に、第４の走路８０の端部Ｙ’より凹むように設けられた第２’の連結用凹部８０１により、第３の走路７０と第４の走路８０とを強固に連結することができる。
【００３４】
上述した実施例にあっては、自動車おもちゃ１を利用した車おもちゃ用走路体Ｓについて、説明したが、本願考案にあっては、これに限らず、電車おもちゃ等の車にも同様に適用でき、また、上述した実施例にあっては、自動車おもちゃ１を落差を利用して、高所から低所へ移動させるようにした車おもちゃ用走路体Ｓについて、説明したが、本願考案にあっては、これに限らず、落差を利用しない自動車おもちゃ、電車おもちゃ等の車おもちゃ用走路体にも同様に適用でき、この場合、車は自走式が望ましい。
【符号の説明】
【００３５】
Ｓ          車おもちゃ用走路体
Ｒ          走行面
Ｘ          端面
Ｙ          端面
Ｗ          壁
１０        第１の走路
１０Ａ      第１の走路用一方張り出し部
１０Ａ１    第１の走路用第１’の被係止部
１０Ｂ      第１の走路用他方張り出し部
１０Ｂ１    第１の走路用第１”の被係止部
２０        第２の走路
２０Ａ      第２の走路用一方張り出し部
２０Ａ１    第２の走路用第１’の被係止部
２０Ｂ      第２の走路用他方張り出し部
２０Ｂ１    第２の走路用第１”の被係止部
３０        第１の支持部材
３１        一方側の脚部
３２        他方側の脚部
３３        接続部
３３１      一対の第１の係止部
３３１Ａ    第１の走路用第１’の係止部
３３１Ｂ    第１の走路用第１”の係止部
３３２      一対の第２の係止部
３３２Ａ   第２の走路用第１’の係止部
３３２Ｂ   第２の走路用第１”の係止部
【図１】
0003203162.tif 000003
【図２】
0003203162.tif 000004
【図３】
0003203162.tif 000005
【図４】
0003203162.tif 000006
【図５】
0003203162.tif 000007
【図６】
0003203162.tif 000008
【図７】
0003203162.tif 000009
【図８】
0003203162.tif 000010
【図９】
0003203162.tif 000011
【図１０】
0003203162.tif 000012
【図１１】
0003203162.tif 000013
【手続補正書】
【提出日】平成28年1月19日(2016.1.19)
【手続補正１】
【補正対象書類名】実用新案登録請求の範囲
【補正対象項目名】全文
【補正方法】変更
【補正の内容】
【実用新案登録請求の範囲】
【請求項１】
自動車おもちゃ、電車おもちゃ等の車が走行する走行面と、この走行面の両側に位置
する壁とを備えた走路とを備えた車おもちゃ用走路体であって、
前記走路は、第１の連結部を介して分離自在に連結されたもので、少なくとも、第１
の走路と第２の走路とを有し、
前記走路は、支持部材により支持され、
前記支持部材は、少なくとも、第１の支持部材を有し、
前記第１の支持部材は、一方側の第１の脚部と、この一方側の第１の脚部に対向する
位置に設けられた他方側の第１の脚部と、この他方側の第１の脚部と前記一方側の脚部を
接続する第１の接続部とを有し、
この第１の接続部の頂部には、一対の第１の支持部材用第１の凸部と、一対の第１の
支持部材用第２の凸部とを有し、
前記一対の第１の支持部材用第１の凸部は、第１の支持部材用第１’の凸部と第１の
支持部材用第１”の凸部とを有し、
前記一対の第１の支持部材用第２の凸部は、第１の支持部材用第２’の凸部と第１の
支持部材用第２”の凸部とを有し、
前記第１の走路の両側には、外方の一方に張り出す第１の走路用一方張り出し部と、
外方の他方に張り出す第１の走路用他方張り出し部とを有し、
前記第２の走路の両側には、外方の一方に張り出す第２の走路用一方張り出し部と、
外方の他方に張り出す第２の走路用他方張り出し部とを有し、
前記第１の連結部は、
前記第１の走路用一方張り出し部に設けた第１の走路用第１’の嵌合穴に前記第１
の支持部材用第１’の凸部が、
前記第１の走路用他方張り出し部に設けた第１の走路用第１”の嵌合穴に前記第１
の支持部材用第１”の凸部が、
前記第２の走路用一方張り出し部に設けた第２の走路用第２’の嵌合穴に前記第１
の支持部材用第２’の凸部が、
前記第２の走路用他方張り出し部に設けた第２の走路用第２”の嵌合穴に前記第１
の支持部材用第２”の凸部が、それぞれ嵌合すると共に、前記第１の走路の端面と前記第
２の走路の端面とが当接しているものである
ことを特徴とする車おもちゃ用走路体。
【請求項２】
支持部材は、第１の支持部材と、この第１の支持部材の上に接続される第２の支持部
材とを有し、
前記第２の支持部材は、一方側の第２の脚部と、この一方側の第２の脚部に対向する
位置に設けられた他方側の第２の脚部と、この他方側の第２の脚部と前記一方側の第２の
脚部を接続する第２の接続部とを有し、
第１の支持部材用第１’の凸部の中心に第１の支持部材用第１’の凹所が、第１の支
持部材用第１”の凸部の中心に第１の支持部材用第１”の凹所が、第１の支持部材用第２
’の凸部の中心に第１の支持部材用第２’の凹所が、第１の支持部材用第２”の凸部の中
心に第１の支持部材用第２”の凹所が、それぞれ設けられ、
前記第１の支持部材用第１’の凹所に対向する位置であって、前記一方側の第２の脚
部に第２の支持部材用第１’の突出部が設けられ、
前記第１の支持部材用第２’の凹所に対向する位置であって、前記一方側の第２の脚
部に第２の支持部材用第２’の突出部が設けられ、
前記第１の支持部材用第１”の凹所に対向する位置であって、前記他方側の第２の脚
部に第２の支持部材用第１”の突出部が設けられ、
前記第１の支持部材用第２”の凹所に対向する位置であって、前記他方側の第２の脚
部に第２の支持部材用第２”の突出部が設けられ、
前記第１の支持部材用第１’の凹所に前記第２の支持部材用第１’の突出部が、前記
第１の支持部材用第２’の凹所に前記第２の支持部材用第２’の突出部が、前記第１の支
持部材用第１”の凹所に前記第２の支持部材用第１”の突出部が、前記第１の支持部材用
第２”の凹所に前記第２の支持部材用第２”の突出部が、それぞれ嵌合して、前記第１の
支持部材と前記第２の支持部材とが接続されている
ことを特徴とする請求項１記載の車おもちゃ用走路体。
【請求項３】
支持部材は、第１の支持部材と、この第１の支持部材の上に接続される第２の支持部
材とを有し、
前記第２の支持部材は、一方側の第２の脚部と、この一方側の第２の脚部に対向する
位置に設けられた他方側の第２の脚部と、この他方側の第２の脚部と前記一方側の第２の
脚部を接続する第２の接続部とを有し、
前記一方側の第２の脚部は、平面断面視、コ字状の一方側の第２’のカバー部を有し
、
前記他方側の第２の脚部は、平面断面視、コ字状の他方側の第２”のカバー部を有し
、
前記第１の支持部材の第１の接続部の頂部に設けられた第１のベースの上に第１の支
持部材用第１’の凸部と第１の支持部材用第２’の凸部が設けられ、
前記第１の支持部材の第１の接続部の頂部に設けられた第２のベースの上に第１の支
持部材用第１”の凸部と第１の支持部材用第２”の凸部が設けられ、
前記コ字状の一方側の第２’のカバー部の内周面が前記第１のベースの外周面に、前
記コ字状の他方側の第２”のカバー部の内周面が前記第２のベースの外周面に、それぞれ
嵌合して、前記第１の支持部材と前記第２の支持部材が接続されている
ことを特徴とする請求項１又は請求項２記載の車おもちゃ用走路体。    
【請求項４】
第１の走路の端部より突出するように設けられた第１の連結用凸部と、この第１の連
結用凸部に係止されると共に、第２の走路の端部より凹むように設けられた第１の連結用
凹部を有する
ことを特徴とする請求項１記載の車おもちゃ用走路体。
【請求項５】
走路は、第２の連結部を介して分離自在に連結されたもので、少なくとも、第３の走
路と第４の走路とを有し、
前記走路は、支持部材により支持され、
前記支持部材は、少なくとも、第１の支持部材と第２の支持部材を有し、
前記第２の支持部材は、一方側の第２の脚部と、この一方側の第２の脚部に対向する
位置に設けられた他方側の第２の脚部と、この他方側の第２の脚部と前記一方側の第２の
脚部を接続する第２の接続部とを有し、
この第２の接続部の頂部には、一対の第２の支持部材用第１の凸部と、一対の第２の
支持部材用第２の凸部とを有し、
前記一対の第２の支持部材用第１の凸部は、第２の支持部材用第１’の凸部と第２の
支持部材用第１”の凸部とを有し、
前記一対の第２の支持部材用第２の凸部は、第２の支持部材用第２’の凸部と第２の
支持部材用第２”の凸部とを有し、
前記第３の走路の両側には、外方の一方に張り出す第３の走路用一方張り出し部と、
外方の他方に張り出す第３の走路用他方張り出し部とを有し、
前記第４の走路の両側には、外方の一方に張り出す第４の走路用一方張り出し部と、
外方の他方に張り出す第４の走路用他方張り出し部とを有し、
前記第２の連結部は、
前記第３の走路用一方張り出し部に設けた第３の走路用第１’の嵌合穴に前記第２
の支持部材用第１’の凸部が、
前記第３の走路用他方張り出し部に設けた第３の走路用第１”の嵌合穴に前記第２
の支持部材用第１”の凸部が、
前記第４の走路用一方張り出し部に設けた第４の走路用第２’の嵌合穴に前記第２
の支持部材用第２’の凸部が、
前記第４の走路用他方張り出し部に設けた第４の走路用第２”の嵌合穴に前記第２
の支持部材用第２”の凸部が、それぞれ嵌合すると共に、前記第３の走路の端面と前記第
４の走路の端面とが当接しているものである
ことを特徴とする請求項１又は請求項２又は請求項３記載の車おもちゃ用走路体。  
【請求項６】
第３の走路の端部より突出するように設けられた第２の連結用凸部と、この第２の連
結用凸部に係止されると共に、第４の走路の端部より凹むように設けられた第２の連結用
凹部を有する
ことを特徴とする請求項５記載の車おもちゃ用走路体。
【手続補正２】
【補正対象書類名】明細書
【補正対象項目名】０００９
【補正方法】変更
【補正の内容】
【０００９】
また、請求項４記載の車おもちゃ用走路体は、請求項１記載の車おもちゃ用走路体に
おいて、第１の走路の端部より突出するように設けられた第１の連結用凸部と、この第１
の連結用凸部に係止されると共に、第２の走路の端部より凹むように設けられた第１の連
結用凹部を有する。
【手続補正３】
【補正対象書類名】明細書
【補正対象項目名】００１１
【補正方法】変更
【補正の内容】
【００１１】
また、請求項６記載の車おもちゃ用走路体は、請求項５記載の車おもちゃ用走路体
において、第３の走路の端部より突出するように設けられた第２の連結用凸部と、この第
２の連結用凸部に係止されると共に、第４の走路の端部より凹むように設けられた第２の
連結用凹部を有する。